(57)【特許請求の範囲】
【請求項１】
患者宅内に設置され、患者に対して高濃度酸素を供給する酸素供給装置と、
前記酸素供給装置の設置部屋以外の部屋に設置され、火気の存在を検出する第１の火気検出器とが、第１の通信ネットワークを介して接続され、
さらに、前記酸素供給装置よる酸素の供給状況及び前記第１の火気検出器による火気の検出状況に基づいて、患者宅内における火気の使用状況を警告する警告手段を備えており、
前記警告手段として、前記第１の火気検出器の設置部屋にいる人に対して、前記酸素供給装置が酸素を供給していることを警告する警告手段を有する、
ことを特徴とする在宅医療支援システム。
【請求項２】
患者宅内に設置され、患者に対して高濃度酸素を供給する酸素供給装置と、
前記酸素供給装置の設置部屋以外の部屋に設置され、火気の存在を検出する第１の火気検出器とが、第１の通信ネットワークを介して接続され、
さらに、前記酸素供給装置よる酸素の供給状況及び前記第１の火気検出器による火気の検出状況に基づいて、患者宅内における火気の使用状況を警告する警告手段を備えており、
前記酸素供給装置が、火気の存在を検出する第２の火気検出器を備え、
前記酸素供給装置による酸素の供給状況及び前記第２の火気検出器による火気の検出状況に基づいて、前記警告手段が、前記酸素供給装置の設置部屋で火気が使用されていることを警告する、
ことを特徴とする在宅医療支援システム。
【請求項３】
前記警告手段として、前記酸素供給装置の設置部屋にいる人に対して、前記第１の火気検出器の設置部屋で火気が使用されていることを警告する警告手段を有する、
ことを特徴とする請求項１又は２に記載の在宅医療支援システム。
【請求項４】
前記酸素供給装置に第２の通信ネットワークを介して接続された管理サーバを備え、
前記管理サーバが、前記警告手段により警告が行われたことを記憶する、
ことを特徴とする請求項１から３のいずれか一項に記載の在宅医療支援システム。
【請求項５】
前記第１の火気検出器が、熱を検出する熱検出センサ又は煙を検出する煙検出センサを有する、
ことを特徴とする請求項１に記載の在宅医療支援システム。
【請求項６】
前記第１の火気検出器又は前記第２の火気検出器が、熱を検出する熱検出センサ又は煙を検出する煙検出センサを有する、
ことを特徴とする請求項２に記載の在宅医療支援システム。
【発明の詳細な説明】
【技術分野】
【０００１】
本発明は、在宅医療支援システムに関し、特に、酸素供給装置の使用環境に対する患者等の注意を喚起するための技術に関する。
【背景技術】
【０００２】
従来、呼吸器疾患の治療法として、医師の処方・指導の元、患者が自宅で日常生活をしながら酸素を吸入する在宅酸素療法（ＨＯＴ：home oxygen therapy）が知られている。この在宅酸素療法においては、患者に高濃度酸素を供給可能な酸素供給装置が患者宅内に設置され、必要時又は連続して使用される。
この酸素供給装置は高濃度酸素を放出するため、周囲での火気の取り扱いに注意する必要がある。つまり、酸素は燃焼を助長する支燃性物質のため、高濃度の酸素だけでは自ら燃焼することはないが、ライターの炎や煙草の火を近づけると、急激にその火が大きくなる。そして、酸素供給装置に接続されたカニューラに引火し、患者の着衣に燃え移る等、重大な火災事故を引き起こしかねない。そこで、酸素供給装置を使用するに際しては、周囲２ｍ以内に火気をおかない等、火気の取り扱いについての様々な注意喚起が患者やその家族に対してなされている。
【０００３】
また、酸素供給装置の周囲で火気が使用された場合に対応できる技術が提案されている（例えば特許文献１，２）。具体的には、特許文献１では、酸素供給装置に設けられた煙検出センサによって煙草の煙が検出された場合に、患者に警報を発する技術が提案されている。また、特許文献２では、カニューラの接続部近傍に設けられた温度検出センサによって温度異常（カニューラへの引火）が検出された場合に、高濃度酸素の供給を遮断し、火災が拡大するのを防止する技術が提案されている。
【先行技術文献】
【特許文献】
【０００４】
【特許文献１】特開２００１−３１４５０７号公報
【特許文献２】特開２００９−１８３５４４号公報
【発明の概要】
【発明が解決しようとする課題】
【０００５】
しかしながら、特許文献１に記載の酸素供給装置は、酸素供給装置の周囲に実際に火気が存在しているという極めて危険な状態が生じたときに、患者に対して警報を発するものであるため、喫煙等の火気の使用は患者の自己管理に委ねられている。つまり、特許文献１に記載の酸素供給装置では、患者の家族、主治医及び医療機関、酸素供給装置の販売業者等が協力して、患者をサポートすることはできない。
また、特許文献２に記載の酸素供給装置は、万が一火災が発生してしまった場合に事後的に対処するものであるため、火災の発生を事前に防止することはできない。
【０００６】
本発明は、上記課題を解決するためになされたもので、酸素供給装置を利用した在宅医療において、火気の使用に伴う火災の発生を未然に防止できるとともに、在宅医療を受ける患者のサポート体制を向上させることができる在宅医療支援システムを提供することを目的とする。
【課題を解決するための手段】
【０００７】
本発明に係る在宅医療支援システムは、患者宅内に設置され、患者に対して高濃度酸素を供給する酸素供給装置と、
前記酸素供給装置の設置部屋以外の部屋に設置され、火気の存在を検出する第１の火気検出器とが、第１の通信ネットワークを介して接続され、
さらに、前記酸素供給装置よる酸素の供給状況及び前記第１の火気検出器による火気の検出状況に基づいて、患者宅内における火気の使用状況を警告する警告手段を備えており、
前記警告手段として、前記第１の火気検出器の設置部屋にいる人に対して、前記酸素供給装置が酸素を供給していることを警告する警告手段を有する。
【発明の効果】
【０００８】
本発明によれば、酸素供給装置の使用状況及び周囲（酸素供給装置の設置部屋以外の部屋を含む）における火気の使用状況を、患者を含めて在宅医療に関わる人が容易に知得することができる。したがって、酸素供給装置を適切な環境で使用するように、使用環境に対する患者等の注意を喚起することができるので、火災の発生を未然に防止できるとともに、サポート体制の充実化を図ることができる。
【図面の簡単な説明】
【０００９】
【図１】本発明の実施の形態に係る在宅医療支援システムの構成を示す図である。
【図２】酸素供給装置のハードウェア構成の一例を示す図である。
【図３】高濃度酸素生成部の概略構成の一例を示す図である。
【図４】火気検出器のハードウェア構成の一例を示す図である。
【図５】管理サーバのハードウェア構成の一例を示す図である。
【図６】在宅医療支援システムの動作の一例を示すシーケンス図である。
【図７】在宅医療支援システムの動作の他の一例を示すシーケンス図である。
【発明を実施するための形態】
【００１０】
以下、本発明の実施の形態を図面に基づいて詳細に説明する。
図１は、本発明の一実施の形態に係る在宅医療支援システムの構成を示す図である。図１に示す在宅医療支援システム１は、酸素供給装置１０、火気検出器２０、通信制御装置３０、及び管理サーバ４０を備えて構成される。なお、図１では、図示を簡略化して１つの患者宅Ｈについてだけ示しているが、管理サーバ４０と患者宅Ｈは、１対多の関係にある。
【００１１】
在宅酸素療法支援システム１において、酸素供給装置１０は、患者に高濃度酸素を供給するもので、在宅酸素療法を受ける患者宅Ｈの部屋Ｒ１に設置される。火気検出器２０は、火気の存在を検出するもので、酸素供給装置１０とは異なる部屋Ｒ２に設置される。通信制御装置３０は、酸素供給装置１０を第２の通信ネットワークＮ２に接続するためのもので、酸素供給装置１０と同じ部屋又は異なる部屋のいずれに設置されてもよい。
【００１２】
管理サーバ４０は、例えば酸素供給装置１０の販売会社や主治医及び医療機関が、患者宅に設置された酸素供給装置１０の使用状況（動作ログ）を管理するためのサーバである。この管理サーバ４０に登録された情報は、例えば通信端末５０（パーソナルコンピュータ（ＰＣ）や携帯電話）上でウェブブラウザを利用することにより、販売会社や主治医及び医療機関等が閲覧できる。
【００１３】
酸素供給装置１０と火気検出器２０、酸素供給装置１０と通信制御装置３０は、それぞれ第１の通信ネットワークＮ１を介して情報通信可能に接続される。第１の通信ネットワークＮ１には、例えば無線ＬＡＮ（Local Area Network）、有線ＬＡＮ、又はＢｌｕｅｔｏｏｔｈ（登録商標）等の近距離通信技術を適用できる。
また、通信制御装置３０と管理サーバ４０は、第２の通信ネットワークＮ２を介して情報通信可能に接続される。つまり、酸素供給装置１０と管理サーバ４０が情報通信可能に接続されることになる。第２の通信ネットワークＮ２には、インターネット、電気通信事業者等の電話回線網、携帯電話通信網等の公衆通信網を適用できる。
【００１４】
図１に示す酸素供給装置１０は、例えば図２に示すハードウェア構成を有している。すなわち、酸素供給装置１０は、制御部１１、音声出力部１２、表示部１３、操作部１４、通信部１５、火気センサ１６、高濃度酸素生成部１７、及び各種センサ１８を備えて構成される酸素濃縮器である。各ブロック１２〜１７は、バスラインを介して制御部１１に電気的に接続されている。
【００１５】
制御部１１は、演算／制御装置としてのＣＰＵ（Central Processing Unit）１１１、主記憶装置としてのＲＡＭ（Random Access Memory）１１２及びＲＯＭ（Read Only Memory）１１３を備えている。ＲＯＭ１１３には、ソフトウェアプログラムや基本的な設定データが記憶される。ＣＰＵ１１１は、処理内容に応じたプログラムをＲＯＭ１１３から読み出してＲＡＭ１１２に展開し、展開したプログラムと協働して酸素供給装置１０の各ブロックの動作を制御する。
【００１６】
音声出力部１２は、制御部１１からの制御信号に基づいて各種情報を音声で出力するスピーカである。表示部１３は、制御部１１からの制御信号に基づいて各種情報を表示するもので、例えば液晶ディスプレイ（ＬＣＤ：Liquid Crystal Display）や発光ダイオード（ＬＥＤ：Light Emitting Diode）等である。
【００１７】
操作部１４は、患者が高濃度酸素の供給流量等を設定したり、連続モード（高濃度酸素を連続して供給するモード）／呼吸同調モード（高濃度酸素を呼吸に同調して供給するモード）を切り替えたりするための入力装置（例えば操作ボタン）である。操作部１４において、例えば患者による供給流量の設定が行われると、設定流量を指示する操作信号が制御部１１に入力される。
【００１８】
通信部１５は、ＴＣＰ／ＩＰ等の通信プロトコルに従って処理を行い、第１の通信ネットワークＮ１を介して火気検出器２０又は通信制御装置３０等と情報の送受信を行う。通信部１５は、酸素供給装置１０に内蔵された通信モジュールであってもよいし、インターフェースを介して接続された外付けの通信モジュールであってもよい。
【００１９】
火気センサ１６は、酸素供給装置１０の周囲に存在する火気を検出するセンサである。火気センサ１６は、例えば煙草の煙を検出する煙センサ、又は火気による温度の異常上昇を検出する温度センサ等である。煙センサ、温度センサには、公知の種々の方式を適用できる。
なお、火気センサ１６は、筐体から外部に露出するように酸素供給装置１０に実装されていてもよいし、酸素供給装置１０の近傍に設置され制御部１１と通信可能に接続される構成であってもよい。
【００２０】
各種センサ１８は、酸素供給装置１０の使用環境や使用状況等を検出するセンサである。各種センサ１８は、例えば酸素供給装置１０が供給する高濃度酸素の濃度を検出する酸素センサ、高濃度酸素の圧力を検出する圧力センサ、筐体内の温度を検出する温度センサ等である。
【００２１】
高濃度酸素生成部１７は、酸素供給装置１０の主要な機能として、原料空気から高濃度酸素を生成し、患者に供給する。酸素供給装置１０がＰＳＡ（Pressure Swing Adsorption）式である場合、高濃度酸素生成部１７は、図３に示すように、空気取入部１７１、空気圧縮部１７２、ＰＳＡ部１７３、製品タンク１７４、及び酸素供給部１７５を備えて構成される。
【００２２】
空気取入部１７１から導入された原料空気は、空気圧縮部１７２で圧縮されて圧縮空気となり、この圧縮空気がＰＳＡ部１７３に送出される。ＰＳＡ部１７３は、酸素より窒素を早く吸着する性質を有するゼオライト等の吸着剤が充填された２本のシーブベッド（吸着塔）１７３Ａ、１７３Ｂを有している。シーブベッド１７３Ａ、１７３Ｂに圧縮空気が送り込まれて加圧状態になると、窒素及び水分が吸着されて酸素だけが通過し、高濃度酸素が生成される。一方、窒素を吸着したシーブベッド１７３Ａ、１７３Ｂが減圧状態（例えば大気圧）に戻されると、吸着していた窒素が脱離して放出され、シーブベッド１７３Ａ、１７３Ｂの吸着能力が再生される。つまり、ＰＳＡ部１７３において、２本のシーブベッド１７３Ａ、１７３Ｂで交互に加圧減圧を繰り返すことにより、連続して高濃度酸素を生成することができる。
そして、ＰＳＡ部１７３で生成された高濃度酸素は、一旦製品タンク１７４に貯留された後、酸素供給部１７５から一定流量で放出され、当該酸素供給装置１０に接続された鼻カニューラや酸素マスク等を介して患者の体内に供給される。
【００２３】
なお、上述した高濃度酸素生成部１７の構成は一例であり、他の方式（例えば酸素富化膜式）の酸素供給装置では異なる構成になることはいうまでもない。また、高濃度酸素生成部１７には公知の技術を適用できるので、細部の説明については省略する。
【００２４】
酸素供給装置１０において、制御部１１は、操作部１４や各種センサ１８からの入力信号に基づいて、例えば空気圧縮部１７２の駆動モータの回転数、ＰＳＡ部１７３の流路切替弁（図示略）の開閉状態、酸素供給部１７５の同調弁（図示略）の開閉状態及び開度等を制御する。このような制御により、酸素供給装置１０から一定流量で高濃度酸素が供給される。
【００２５】
また、制御部１１は、酸素供給装置１０の電源投入時、及び電源投入後一定時間間隔で酸素供給装置１０における酸素供給に関する情報（使用時間、供給モード（連続モード／呼吸同調モード）、供給流量等）を管理サーバ４０に送信する。制御部１１から送信された酸素供給に関する情報は、管理サーバ４０の患者データベース４５（図５参照）に登録されることになる。
【００２６】
さらに、制御部１１は、当該酸素供給装置１０による酸素の供給状況及び火気センサ１６による火気の検出状況に基づいて、音声出力部１２及び表示部１３を制御するとともに、所定の情報を火気検出器２０及び管理サーバ４０に送信する。また、制御部１１は、当該酸素供給装置１０による酸素の供給状況及び火気検出器２０による火気の検出状況に基づいて、音声出力部１２及び表示部１３を制御するとともに、所定の情報を火気検出器２０及び管理サーバ４０に送信する。制御部１１から送信された所定の情報に基づいて、火気検出器２０及び管理サーバ４０で所定の処理が行われることになる。これらの処理の詳細な内容については後述する。
【００２７】
図１に示す火気検出器２０は、例えば図４に示すハードウェア構成を有している。すなわち、火気検出器２０は、制御部２１、音声出力部２２、表示部２３、通信部２４、及び火気センサ２５を備えて構成される。各ブロック２２〜２５は、バスラインを介して制御部２１に電気的に接続されている。
【００２８】
制御部２１は、演算／制御装置としてのＣＰＵ２１１、主記憶装置としてのＲＡＭ２１２及びＲＯＭ２１３を備えている。ＲＯＭ２１３には、ソフトウェアプログラムや基本的な設定データが記憶される。ＣＰＵ２１１は、処理内容に応じたプログラムをＲＯＭ２１３から読み出してＲＡＭ２１２に展開し、展開したプログラムと協働して火気検出器２０の各ブロックの動作を制御する。
【００２９】
音声出力部２２は、制御部２１からの制御信号に基づいて各種情報を音声で出力するスピーカである。表示部２３は、制御部２１からの制御信号に基づいて各種情報を表示するもので、例えばＬＣＤやＬＥＤ等である。
【００３０】
通信部２４は、ＴＣＰ／ＩＰ等の通信プロトコルに従って処理を行い、第１の通信ネットワークＮ１を介して酸素供給装置１０と情報の送受信を行う。通信部２４は、火気検出器２０に内蔵された通信モジュールであってもよいし、インターフェースを介して接続された外付けの通信モジュールであってもよい。
【００３１】
火気センサ２５は、火気検出器２０の周囲に存在する火気を検出するセンサであり、筐体から外部に露出するように火気検出器２０に実装されている。火気センサ２５は、例えば煙草の煙を検出する煙センサ、又は火気による温度の異常上昇を検出する温度センサ等である。煙センサ、温度センサには、公知の種々の方式を適用できる。
【００３２】
火気検出器２０において、制御部２１は、火気センサ２５により火気が検出された場合に、所定の情報を酸素供給装置１０に送信する。制御部２１から送信された所定の情報に基づいて、酸素供給装置１０で所定の処理が行われることになる。かかる処理の詳細な内容については後述する。
【００３３】
図１に示す通信制御装置３０は、ＴＣＰ／ＩＰ等の通信プロトコルに従って処理を行い、第１の通信ネットワークＮ１を介して酸素供給装置１０と情報の送受信を行うとともに、第２の通信ネットワークＮ２を介して管理サーバ４０と情報の送受信を行う。通信制御装置３０は、例えばＰＨＳ（Personal Handy-phone System）端末またはモデム端末等のような通信端末である。
【００３４】
図１に示す管理サーバ４０は、例えば図５に示すハードウェア構成を有している。すなわち、管理サーバ４０は、制御部４１、操作部４２、通信部４３、記憶部４４、及び患者データベース（患者ＤＢ）４５等の基本的なハードウェアを備えた汎用コンピュータである。各ブロック４２〜４５は、バスラインを介して制御部４１に電気的に接続されている。
【００３５】
制御部４１は、演算／制御装置としてのＣＰＵ４１１、主記憶装置としてのＲＡＭ４１２及びＲＯＭ４１３で構成される。ＲＯＭ４１３には、ＢＩＯＳ（Basic Input Output System）と呼ばれるプログラムや基本的な設定データが記憶されている。ＲＡＭ４１２には、記憶部４４から読み出されたＯＳや各種アプリケーション等のプログラムが展開される。ＣＰＵ４１１は、ＲＡＭ４１２に展開されたプログラムと協働して管理サーバ４０の各ブロックの動作を制御する。
【００３６】
記憶部４４は、例えばハードディスク等で構成され、ＯＳ、各種アプリケーションプログラム（例えばサーバ用プログラムやウェブアプリケーションプログラム）、及び各種データ等が記憶されている。
操作部４２は、管理者が管理サーバ４０を制御するためのユーザインタフェースである。操作部４２は、情報を入力するキーボードやマウス等の入力装置、及び入力操作の結果等を提示するＬＣＤ等の出力装置で構成される。
通信部４３は、ＴＣＰ／ＩＰ等の通信プロトコルに従って処理を行い、第２の通信ネットワークＮ２を介して酸素供給装置１０（通信制御装置３０）と情報の送受信を行う。
【００３７】
患者データベース４５には、患者宅Ｈに設置された酸素供給装置１０ごとに使用状況が登録される。使用状況には、例えば酸素供給装置１０における酸素供給に関する情報、及び火気の使用に関する情報が含まれる。
【００３８】
管理サーバ４０において、制御部４１は、酸素供給装置１０から送信された情報を患者データベース４５に登録する。例えば、酸素供給装置１０の電源投入時、及び電源投入後一定時間間隔で酸素供給装置１０から酸素供給に関する情報が送信された場合に、制御部４１は、この情報を患者データベース４５に登録する。また、酸素供給装置１０から火気の使用に関する情報が送信された場合に、制御部４１は、この情報を患者データベース４５に登録する。かかる処理の詳細な内容については後述する。
【００３９】
図６は、在宅医療支援システム１の動作の一例を示すシーケンス図である。図６に示す処理により、火気検出器２０の周囲における火気使用に対して警告が行われる。図６に示す処理は、酸素供給装置１０のＣＰＵ１１１、火気検出器２０のＣＰＵ２１１、及び管理サーバ４０のＣＰＵ４１１が、それぞれ所定のプログラムを実行することにより実現される。
【００４０】
図６のステップＳ１０１において、火気検出器２０の制御部２１は、火気センサ２５からの検出信号に基づいて、火気検出器２０の周囲において火気が検出されたか否かを判定する。制御部２１は、例えば、火気センサ２５（煙センサ）からの検出信号に基づいて閾値以上の煙濃度が検出された場合、又は火気センサ２５（温度センサ）からの検出信号に基づいて温度の異常上昇が検出された場合に、火気が検出されたものと判定する。制御部２１は、火気を検出したと判定した場合にはステップＳ１０２の処理に移行し、火気を検出していないと判定した場合は処理を終了する。
【００４１】
ステップＳ１０２において、火気検出器２０の制御部２１は、火気検出器２０の周囲、すなわち火気検出器２０の設置部屋Ｒ２で火気が検出されたことを示す火気検出情報を、酸素供給装置１０に対して送信する。この火気検出情報は、第１の通信ネットワークＮ１を介して酸素供給装置１０に送信される。
【００４２】
ステップＳ１０３において、酸素供給装置１０の制御部１１は、火気検出情報を受信したか否かを判定する。ステップＳ１０２で火気検出器２０から火気検出情報が送信された場合に、酸素供給装置１０で火気検出情報が受信されることになる（ステップＳ１０３で“ＹＥＳ”）。制御部１１は、火気検出情報を受信したと判定した場合にはステップＳ１０４の処理に移行し、火気検出情報を受信していないと判定した場合には処理を終了する。
【００４３】
ステップＳ１０４において、酸素供給装置１０の制御部１１は、当該酸素供給装置１０において患者に酸素を供給中であるか否かを判定する。例えば、酸素供給装置１０の電源の投入状態に基づいて、または酸素供給装置１０における実際の動作状態に基づいて、制御部１１は酸素供給中であるか否かを判定する。制御部１１は、酸素供給中（酸素供給装置１０が使用中）であると判定した場合にはステップＳ１０５の処理に移行する。一方、制御部１１は、酸素供給中でないと判定した場合には処理を終了する。酸素供給装置１０が使用中でない場合は、他の部屋Ｒ２での火気の使用を制限する必要はないためである。
なお、図６に示す酸素供給装置１０に関する処理が、酸素供給装置１０の電源投入（酸素供給の開始）に伴い開始されるものとした場合、ステップＳ１０４の処理は省略してもよい。
【００４４】
ステップＳ１０５において、酸素供給装置１０の制御部１１は、酸素供給装置１０が使用中であることを警告するように指示する警告指示情報を、火気検出器２０に対して送信する。この警告指示情報は、第１の通信ネットワークＮ１を介して火気検出器２０に送信される。
【００４５】
ステップＳ１０６において、酸素供給装置１０の制御部１１は、音声出力部１２においてメッセージ又は警告音を出力させる。また、制御部１１は、表示部１３においてＬＣＤに画像（文字を含む）を出力させたり、ＬＥＤを点灯（又は点滅）させたりする。音声出力部１２又は表示部１３から出力するメッセージとしては、例えば、「他の部屋で火気が使用されています。人の出入りがある際は気をつけてください。」等、注意を促すメッセージが考えられる。
これにより、酸素供給装置１０を使用している患者は、他の部屋Ｒ２に火気を使用している人（例えば喫煙している家族）がいることを知得できる。そして、患者は、当該酸素供給装置１０の設置部屋Ｒ１において人の出入りがある際に、出入りする人が火気を使用していないか（喫煙していないか）注意するようになる。したがって、酸素供給装置１０の設置部屋Ｒ１に、喫煙中の人が不意に入ってくることにより火災が発生するのを未然に防止することができる。
【００４６】
ステップＳ１０７において、酸素供給装置１０の制御部１１は、酸素供給装置１０において警告を行ったこと、及び火気検出器２０に警告を行うよう指示したことを示す警告情報を、管理サーバ４０に対して送信する。この警告情報は、第２の通信ネットワークＮ２を介して管理サーバ４０に送信される。
【００４７】
ステップＳ１０８において、火気検出器２０の制御部２１は、警告指示情報を受信したか否かを判定する。ステップＳ１０５で酸素供給装置１０から警告指示情報が送信された場合に、火気検出器２０で警告指示情報が受信されることになる（ステップＳ１０８で“ＹＥＳ”）。制御部２１は、警告指示情報を受信したと判定した場合にはステップＳ１０９の処理に移行し、警告指示情報を受信していないと判定した場合には処理を終了する。
なお、ステップＳ１０２において、制御部２１が酸素供給装置１０に対して火気検出情報を送信しても、酸素供給中でなければ火気検出器２０に対して警告指示情報は送信されないことになる。
【００４８】
ステップＳ１０９において、火気検出器２０の制御部２１は、音声出力部２２においてメッセージ又は警告音を出力させる。また、制御部２１は、表示部２３においてＬＣＤに画像（文字を含む）を出力させたり、ＬＥＤを点灯（又は点滅）させたりする。音声出力部２２又は表示部２３から出力するメッセージとしては、例えば、「他の部屋で酸素供給装置が使用されています。この部屋に出入りする際は気をつけてください。」等、注意を促すメッセージが考えられる。
これにより、酸素供給装置１０の設置部屋Ｒ１とは別の部屋Ｒ２にいる家族は、酸素供給装置１０が使用されていることを知得できる。そして、その家族は、当該酸素供給装置１０の設置部屋Ｒ１に出入りする際に、火気を使用したまま（喫煙したまま）入らないように注意するようになる。したがって、酸素供給装置１０の設置部屋Ｒ１に、喫煙中の人が不用意に入ってくることにより火災が発生するのを未然に防止することができる。
【００４９】
ステップＳ１１０において、管理サーバ４０の制御部４１は、警告情報を受信したか否かを判定する。ステップＳ１０７で酸素供給装置１０から警告情報が送信された場合に、管理サーバ４０で警告情報が受信されることになる（ステップＳ１１０で“ＹＥＳ”）。制御部４１は、警告情報を受信したと判定した場合にはステップＳ１１１の処理に移行し、警告情報を受信していないと判定した場合には処理を終了する。
【００５０】
ステップＳ１１１において、管理サーバ４０の制御部４１は、火気の使用に関する情報として、火気検出器２０の周囲で火気が使用されたことに伴い、酸素供給装置１０及び火気検出器２０で警告が行われたことを、警告した時間とともに患者データベース４５に登録する。
これにより、販売会社、主治医及び医療機関は、通信端末５０のウェブブラウザを利用して、患者データベース４５の登録情報を閲覧することで、患者宅Ｈにおける火気の使用状況を知得できる。そして、販売会社、主治医及び医療機関は、酸素供給装置１０の使用中は火気の使用を控えるよう患者及びその家族に進言し、在宅酸素療法が適切な環境で行われるように指導することができる。したがって、在宅酸素療法を行う患者のサポート体制が充実化される。
【００５１】
図６に示す例では、酸素供給装置１０による酸素供給中に、他の部屋Ｒ２で火気の存在が検出された場合に、酸素供給装置１０を使用している患者及び火気の使用者に対して警告が行われるが、酸素供給装置１０を使用している患者又は火気の使用者の何れか一方に警告が行われるようにしてもよい。
また、他の部屋Ｒ２での火気使用中に、酸素供給装置１０による酸素供給が開始された場合に、酸素供給装置１０を使用している患者又は火気の使用者に対して警告が行われるようにしてもよい。
さらには、酸素供給装置１０の電源が投入されているが酸素供給中ではないとき（いわゆる待機中）に、他の部屋で火気の存在が検出された場合に、酸素供給装置１０を使用する患者に対して予備的に警告が行われるようにしてもよい。
【００５２】
図７は、在宅医療支援システム１の動作の他の一例を示すシーケンス図である。図７に示す処理により、酸素供給装置１０の周囲における火気使用に対して警告が行われる。図７に示す処理は、酸素供給装置１０のＣＰＵ１１１、火気検出器２０のＣＰＵ２１１、及び管理サーバ４０のＣＰＵ４１１が、それぞれ所定のプログラムを実行することにより実現される。
【００５３】
図７のステップＳ２０１において、酸素供給装置１０の制御部１１は、火気センサ１６からの検出信号に基づいて、酸素供給装置１０の周囲において火気が検出されたか否かを判定する。制御部１１は、例えば、火気センサ１６（煙センサ）からの検出信号に基づいて閾値以上の煙濃度が検出された場合、又は火気センサ１６（温度センサ）からの検出信号に基づいて温度の異常上昇が検出された場合に、火気が検出されたものと判定する。制御部１１は、火気を検出したと判定した場合にはステップＳ２０２の処理に移行し、火気を検出していないと判定した場合には処理を終了する。
【００５４】
ステップＳ２０２において、酸素供給装置１０の制御部１１は、当該酸素供給装置１０において患者に酸素を供給中であるか否かを判定する。例えば、酸素供給装置１０の電源の投入状態に基づいて、または酸素供給装置１０における実際の動作状態に基づいて、制御部１１は酸素供給中であるか否かを判定する。制御部１１は、酸素供給中（酸素供給装置１０が使用中）であると判定した場合にはステップＳ２０３の処理に移行する。一方、制御部１１は、酸素供給中でないと判定した場合には処理を終了する。酸素供給装置１０が使用中でない場合は、この酸素供給装置１０の設置部屋Ｒ１での火気の使用を制限する必要はないためである。
なお、図７に示す酸素供給装置１０に関する処理が、酸素供給装置１０の電源投入（酸素供給の開始）に伴い開始されるものとした場合、ステップＳ２０２の処理は省略してもよい。
【００５５】
ステップＳ２０３において、酸素供給装置１０の制御部１１は、酸素供給装置１０の周囲に火気が存在する（酸素供給装置１０の使用中にも関わらず患者が喫煙している）ことを警告するように指示する警告指示情報を、火気検出器２０に対して送信する。この警告指示情報は、第１の通信ネットワークＮ１を介して火気検出器２０に送信される。
【００５６】
ステップＳ２０４において、酸素供給装置１０の制御部１１は、音声出力部１２においてメッセージ又は警告音を出力させる。また、制御部１１は、表示部１３においてＬＣＤに画像（文字を含む）を出力させたり、ＬＥＤを点灯（又は点滅）させたりする。音声出力部１２又は表示部１３から出力するメッセージとしては、例えば、「酸素供給装置を使用中です。直ちに喫煙をやめてください。」等、火気厳禁であることを警告するメッセージが考えられる。
これにより、酸素供給装置１０を使用している患者は、酸素供給装置１０の使用中は火気厳禁であることを再認識できる。そして、患者は、火気の使用（例えば喫煙）を直ちに停止するようになる。したがって、酸素供給装置１０の使用中の喫煙等に起因して、火災が発生するのを未然に防止することができる。
【００５７】
ステップＳ２０５において、酸素供給装置１０の制御部１１は、酸素供給装置１０において警告を行ったこと、及び火気検出器２０に警告を行うよう指示したことを示す警告情報を、管理サーバ４０に対して送信する。この警告情報は、第２の通信ネットワークＮ２を介して管理サーバ４０に送信される。
【００５８】
ステップＳ２０６において、火気検出器２０の制御部２１は、警告指示情報を受信したか否かを判定する。ステップＳ２０３で酸素供給装置１０から警告指示情報が送信された場合に、火気検出器２０で警告指示情報が受信されることになる（ステップＳ２０６で“ＹＥＳ”）。制御部２１は、警告指示情報を受信したと判定した場合にはステップＳ２０７の処理に移行し、警告指示情報を受信していないと判定した場合には処理を終了する。
【００５９】
ステップＳ２０７において、火気検出器２０の制御部２１は、音声出力部２２においてメッセージ又は警告音を出力させる。また、制御部２１は、表示部２３においてＬＣＤに画像（文字を含む）を出力させたり、ＬＥＤを点灯（又は点滅）させたりする。音声出力部２２又は表示部２３から出力するメッセージとしては、例えば、「酸素供給装置の周囲で火気が使用されています。患者の方が喫煙していないかご確認ください。」等、酸素療法に不適切な行為がなされていないか確認を促すメッセージが考えられる。
これにより、患者の家族は、酸素供給装置１０の設置部屋Ｒ１で火気が使用されていること（患者が喫煙していること）を知得できるので、患者に対して火気を使用しないように注意することができる。したがって、酸素供給装置１０の使用中の喫煙等に起因して、火災が発生するのを未然に防止することができるとともに、在宅酸素療法を行う患者のサポート体制が充実化される。
【００６０】
ステップＳ２０８において、管理サーバ４０の制御部４１は、警告情報を受信したか否かを判定する。ステップＳ２０５で酸素供給装置１０から警告情報が送信された場合に、管理サーバ４０で警告情報が受信されることになる（ステップＳ２０８で“ＹＥＳ”）。制御部４１は、警告情報を受信したと判定した場合にはステップＳ２０９の処理に移行し、警告情報を受信していないと判定した場合には処理を終了する。
【００６１】
ステップＳ２０９において、管理サーバ４０の制御部４１は、火気の使用に関する情報として、酸素供給装置１０の周囲で火気が使用されたことに伴い、酸素供給装置１０及び火気検出器２０で警告が行われたことを、時間とともに患者データベース４５に登録する。
販売会社、主治医及び医療機関は、通信端末５０のウェブブラウザを利用して、患者データベース４５の登録情報を閲覧することで、患者宅Ｈにおける火気の使用状況を知得できる。そして、販売会社、主治医及び医療機関は、酸素供給装置１０の使用中は火気の使用を控えるよう患者及びその家族に進言し、在宅酸素療法が適切な環境で行われるように指導することができる。したがって、在宅酸素療法を行う患者のサポート体制が充実化される。
【００６２】
図７に示す例では、酸素供給装置１０による酸素供給中に、当該酸素供給装置１０の設置部屋Ｒ１で火気の存在が検出された場合に、酸素供給装置１０を使用している患者及び他の部屋Ｒ２にいる人に対して警告が行われるが、酸素供給装置１０を使用している患者又は他の部屋Ｒ２にいる人の何れか一方に警告が行われるようにしてもよい。
また、当該設置部屋Ｒ１での火気使用中に、酸素供給装置１０による酸素供給が開始された場合に、酸素供給装置１０を使用している患者又は他の部屋Ｒ２にいる人に対して警告が行われるようにしてもよい。
さらには、酸素供給装置１０の電源が投入されているが酸素供給中ではないとき（いわゆる待機中）に、当該設置部屋Ｒ１で火気の存在が検出された場合に、酸素供給装置１０を使用する患者に対して予備的に警告が行われるようにしてもよい。
【００６３】
このように、実施の形態に係る在宅医療支援システム１は、患者に対して高濃度酸素を供給する酸素供給装置１０と、酸素供給装置１０の設置部屋Ｒ１以外の部屋Ｒ２に設置され、火気の存在を検出する火気検出器２０（第１の火気検出器）とを備え、これらが、第１の通信ネットワークＮ１を介して接続されている。さらに、酸素供給装置１０による酸素の供給状況及び火気検出器２０（第１の火気検出器）による火気の検出状況に基づいて、患者宅内における火気の使用状況を警告する警告手段を備えている。
【００６４】
具体的には、在宅医療支援システム１は、警告手段として、酸素供給装置１０の設置部屋Ｒ１にいる人（患者）に対して、火気検出器２０（第１の火気検出器）の設置部屋Ｒ２で火気が使用されていることを警告する第１の警告手段（制御部１１、音声出力部１２、表示部１３、図６のステップＳ１０６）を有している。
【００６５】
また、在宅医療支援システム１は、警告手段として、火気検出器２０（第１の火気検出器）の設置部屋Ｒ２にいる人（火気使用者）に対して、酸素供給装置１０が酸素を供給していることを警告する第２の警告手段（制御部２１、音声出力部２２、表示部２３、図６のステップＳ１０９）を備えている。
【００６６】
また、在宅医療支援システム１において、酸素供給装置１０は、火気の存在を検出する火気センサ１６（第２の火気検出器）を備えている。そして、酸素供給装置１０による酸素の供給状況及び火気センサ１６（第２の火気検出器）による火気の検出状況に基づいて、警告手段（第１の警告手段、第２の警告手段）が、酸素供給装置１０の設置部屋Ｒ１で火気が使用されていることを警告する（図７のステップＳ２０４、ステップＳ２０７）。
【００６７】
また、実施の形態に係る在宅医療支援システム（１）は、酸素供給装置（１０）に第２の通信ネットワーク（Ｎ２）を介して接続された管理サーバ（４０）を備えている。そして、この管理サーバ（４０）は、第１の警告手段（制御部１１、音声出力部１２、表示部１３）又は第２の警告手段（制御部２１、音声出力部２２、表示部２３）により警告が行われたことを記憶する（患者データベース４５、図６のステップＳ１１１、図７のステップＳ２０９）。
【００６８】
実施の形態に係る在宅医療支援システム１によれば、酸素供給装置１０の使用状況及び周囲（酸素供給装置１０の設置部屋Ｒ１以外の部屋Ｒ２を含む）における火気の使用状況を、患者を含めて在宅酸素療法に関わる人が容易に知得することができる。したがって、酸素供給装置１０を適切な環境で使用するように、使用環境に対する患者等の注意を喚起することができるので、火災の発生を未然に防止できるとともに、サポート体制の充実化を図ることができる。
【００６９】
以上、本発明者によってなされた発明を実施の形態に基づいて具体的に説明したが、本発明は上記実施の形態に限定されるものではなく、その要旨を逸脱しない範囲で変更可能である。
例えば、酸素供給装置１０には、酸素濃縮器の他、液体酸素や酸素ボンベを利用した酸素供給装置を適用できる。また、本発明は、実施の形態で示した在宅酸素療法だけでなく、在宅用人工呼吸器を使用した在宅医療のように、酸素供給装置を利用した在宅医療に広く適用できる。
【００７０】
また例えば、酸素供給装置１０に第２の通信ネットワークＮ２に接続可能な通信モジュールを実装し、管理サーバ４０と直接通信できるようにしてもよい。
また、酸素供給装置１０の使用中に、火気センサ１６により火気が検出された場合には、即座に酸素供給を停止させるようにしてもよい。また、火気検出器２０を、酸素供給装置１０の設置部屋Ｒ１とは異なる複数の部屋（キッチンやバスルームを含む）に設置するようにしてもよい。
また、実施の形態では、酸素供給装置１０及び火気検出器２０に警告手段を設けた例を示したが、患者宅内Ｈに設置されている電話やインターホンを警告手段として利用することもできる。
【００７１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７２】
１  在宅医療支援システム
１０  酸素供給装置
１１  制御部
１２  音声出力部
１３  表示部
１４  操作部
１５  通信部
１６  火気センサ
１７  高濃度酸素生成部
１８  各種センサ
２０  火気検出器
２１  制御部
２２  音声出力部
２３  表示部
２４  通信部
２５  火気センサ
３０  通信制御装置
４０  管理サーバ
４１  制御部
４２  操作部
４３  通信部
４４  記憶部
４５  データベース
５０  通信端末
Ｎ１  第１の通信ネットワーク
Ｎ２  第２の通信ネットワーク
【図１】
0005765989.tif 000002
【図２】
0005765989.tif 000003
【図３】
0005765989.tif 000004
【図４】
0005765989.tif 000005
【図５】
0005765989.tif 000006
【図６】
0005765989.tif 000007
【図７】
0005765989.tif 000008